(57)【特許請求の範囲】
【請求項１】
互いに接続するオス型コネクタとメス型コネクタとを備えるコネクタ組立体であって、
前記オス型コネクタは、
筒状の外壁部、前記外壁部の基端に形成された底部、および、前記底部から前記外壁部の内部に突出した筒状の内壁部を有し、前記外壁部の内周面の先端側には前記メス型コネクタと係合するオス側接続部が形成された外筒部と、
前記外壁部の先端側に弁体表面が露出するように配置され、スリットが形成されたオス側弁体部と、
前記外筒部に対して相対移動可能に設けられ、前記オス側弁体部を保持する筒状体からなり、その内部に前記内壁部が挿通された弁体保持部と、
前記外筒部に対して相対移動可能に設けられ、前記内壁部の内部に配置された筒状体からなり、その外周面が前記内壁部の内周面と当接すると共に、その内部に液体の流路が形成された内筒部と、を備えており、
前記メス型コネクタは、
内部に液体の流路が形成された筒状体からなり、その外周面の基端側に前記オス型コネクタの前記オス側接続部と係合するメス側接続部が形成されたコネクタ本体部と、
前記コネクタ本体部の基端側に弁体表面が露出するように配置され、スリットが形成されたメス側弁体部と、を備えており、
前記メス型コネクタと前記オス型コネクタを接続する際には、前記メス側弁体部に前記オス側弁体部を当接し、その状態から、前記外筒部を前記オス側接続部が前記メス側接続部に係合される位置まで、前記コネクタ本体部の外周面に沿って先端側に移動することによって、前記オス側接続部と前記メス側接続部との係合により前記メス型コネクタに前記オス型コネクタが固定され、同時に、前記内壁部が前記オス側弁体部および前記メス側弁体部の前記スリットを開口させる構成となっており、
前記メス型コネクタから前記オス型コネクタを取り外す際には、前記外筒部を前記コネクタ本体部の外周面に沿って基端側に移動することによって、前記オス側接続部と前記メス側接続部との係合が解除され、前記メス型コネクタから前記オス型コネクタが取り外される構成となっていることを特徴とするコネクタ組立体。
【請求項２】
前記内壁部は、その先端側に先細りする傾斜面を有することを特徴とする請求の範囲第１項に記載のコネクタ組立体。
【請求項３】
前記内壁部は、前記傾斜面に開口し、前記内筒部に形成された前記流路と連通する開口部を有することを特徴とする請求の範囲第２項に記載のコネクタ組立体。
【請求項４】
前記メス側弁体部は、前記弁体表面を形成する板状の弁本体部と、前記弁本体部の周縁から延出して前記コネクタ本体部と嵌合するリブと、を備えることを特徴とする請求の範囲第１項ないし請求の範囲第３項のいずれか一項に記載のコネクタ組立体。
【請求項５】
前記メス側弁体部は、前記弁体表面を形成する頭部と、前記頭部に連続して筒状に形成され、長さ方向に弾性変形する蛇腹状の胴部と、を備え、
前記内壁部の押圧によって、前記胴部が長さ方向に収縮し、前記頭部に形成されたスリットが開口する構成となっていることを特徴とする請求の範囲第１項ないし請求の範囲第３項のいずれか一項に記載のコネクタ組立体。
【請求項６】
内部に液体の流路が形成された筒状体からなり、外周面の基端側にメス側接続部が形成されたコネクタ本体部と、前記コネクタ本体部の基端側に弁体表面が露出するように配置され、スリットが形成されたメス側弁体部とを備えるメス型コネクタと接続するオス型コネクタであって、
筒状の外壁部、前記外壁部の基端に形成された底部、および、前記底部から前記外壁部の内部に突出した筒状の内壁部を有し、前記外壁部の内周面の先端側には前記メス型コネクタの前記メス側接続部に係合するオス側接続部が形成された外筒部と、
前記外壁部の先端側に弁体表面が露出するように配置され、スリットが形成されたオス側弁体部と、
前記外筒部に対して相対移動可能に設けられ、前記オス側弁体部を保持する筒状体からなり、その内部に前記内壁部が挿通された弁体保持部と、
前記外筒部に対して相対移動可能に設けられ、前記内壁部の内部に配置された筒状体からなり、その外周面が前記内壁部の内周面と当接すると共に、その内部に液体の流路が形成された内筒部と、を備え、
前記メス型コネクタに接続する際には、前記メス側弁体部に前記オス側弁体部を当接し、その状態から、前記外筒部を前記オス側接続部が前記メス側接続部に係合される位置まで、前記コネクタ本体部の外周面に沿って先端側に移動することによって、前記オス側接続部と前記メス側接続部との係合により前記メス型コネクタに固定され、同時に、前記内壁部が前記オス側弁体部および前記メス側弁体部の前記スリットを開口させる構成となり、
前記メス型コネクタから取り外す際には、前記外筒部を前記コネクタ本体部の外周面に沿って基端側に移動することによって、前記オス側接続部と前記メス側接続部との係合が解除され、前記メス型コネクタから取り外される構成となっていることを特徴とするオス型コネクタ。
【請求項７】
前記内壁部は、その先端側に先細りする傾斜面を有することを特徴とする請求の範囲第６項に記載のオス型コネクタ。
【請求項８】
前記内壁部は、前記傾斜面に開口し、前記内筒部に形成された前記流路と連通する開口部を有することを特徴とする請求の範囲第７項に記載のオス型コネクタ。
【発明の詳細な説明】
【技術分野】
【０００１】
本発明は、医療用具に用いられ、液体の流路を接続するためのコネクタ組立体およびオス型コネクタに関する。
【背景技術】
【０００２】
液体の流路の接続を必要とする医療用具においては、液体を持続的、一時的に流す際、液体の流路の接続、取り外しを必要に応じて行う。このとき、流路の途中に流路の接続、取り外しを行うコネクタ組立体を配置することが知られている。【０００３】
例えば、尿管理の際に使用される医療用具においては、尿道カテーテルのカテーテル本体の端部に備えられたカテーテル側コネクタと、採尿バッグに接続された採尿チューブの端部に備えられたバッグ側コネクタとを嵌合等によって接続してコネクタ組立体を形成する。そして、コネクタ組立体を介して尿道カテーテルの流路と採尿チューブの流路とが接続される。【０００４】
従来、このようなコネクタ組立体としては、特許文献１、２に記載された形態のものが使用されている。具体的には、特許文献１には、コネクタ組立体のカテーテル側コネクタとしての雌コネクタと、コネクタ組立体のバッグ側コネクタとしての雄コネクタが記載され、雄コネクタには、スリットを有する弾性ブーツ（弁体部）が備えられていることが記載されている。そして、特許文献１のコネクタ組立体では、雄コネクタに雌コネクタが嵌合されると、雄コネクタの弾性ブーツが長さ方向に収縮し、その収縮に伴ってスリットが開口することによって、雌コネクタの流路と雄コネクタの流路とが接続される。【０００５】
特許文献２には、コネクタ組立体のカテーテル側コネクタとしての第１のコネクタ、コネクタ組立体のバッグ側コネクタとしての第２のコネクタが記載され、第１のコネクタが第１のハウジングとその端部を覆う第１のバルブ（第１弁体部）とを備え、第２のコネクタが第２のハウジングとその端部を覆う第２のバルブ（第２弁体部）とを備えることが記載されている。そして、特許文献２のコネクタ組立体では、第１のハウジングと第２のハウジングが嵌合することによって、第１のバルブと第２のバルブとが当接すると共に、第１のコネクタと第２のコネクタとが接続、固定される。また、コネクタを固定後、第２のハウジングの中に第２のバルブと近接するように配置されたステムを、第２のバルブおよび第１のバルブの両スリットを押し開くように、第１のバルブ側に可動することによって、第１のコネクタの流路と第２のコネクタの流路とが接続される。
【先行技術文献】
【特許文献】
【０００６】
【特許文献１】特開２０１１−２５０６６号公報
【特許文献２】特開２０１０−５１８３３０号公報
【発明の概要】
【発明が解決しようとする課題】
【０００７】
しかしながら、特許文献１に記載された雌コネクタが弁体部を備えていないコネクタ組立体では、その流路が開放状態になっている。そのため、雌コネクタと雄コネクタとを接続、取り外しする際、バッグ側の雄コネクタの弾性ブーツ（弁体部）が尿漏れ等で汚染された場合には、弾性ブーツによってカテーテル側の雌コネクタの流路が汚染され、流路内で菌が繁殖する。その結果、患者が繁殖した菌に感染するおそれがある。【０００８】
特許文献２に記載されたコネクタ組立体では、第１のコネクタと第２のコネクタとが取り外しできないように接続、固定される。その結果、患者に留置された尿道カテーテルには採尿バッグが常時接続された状態となるため、患者の移動、入浴またはリハビリ等の行動が阻害されるという問題がある。また、採尿バッグが常時接続された状態であると、採尿バッグから尿の逆流（尿漏れ）等が発生した場合には、カテーテル側の第１のコネクタの流路が汚染され、流路内で菌が繁殖し、患者が繁殖した菌に感染するおそれがある。【０００９】
また、特許文献２に記載されたコネクタ組立体では、コネクタを固定し、その後に流路の接続（連通）を行うという２段階の作業が必要となる。そして、特許文献２に記載されたコネクタでは、コネクタの固定を第１のハウジングと第２のハウジングとの嵌合で行い、コネクタの流路の連通をステムで行うため、コネクタの固定と、流路の連通とを同じ部品で行うことができない。その結果、作業が煩雑になると共に、コネクタの固定が不十分となり、カテーテル側の第１のコネクタの流路が汚染され、流路内で菌が繁殖し、患者が繁殖した菌に感染するおそれがある。また、ステムの可動による第１のバルブおよび第２のバルブの押し開きが不十分で、流路の接続が確実でなくなるという問題もある。さらに、特許文献２に記載されたコネクタ組立体では、ステムの可動により、コネクタに接続された、例えば、尿道カテーテルが長手方向に引っ張られるという問題もある。【００１０】
そこで、本発明は、このような問題を解決すべく創案されたもので、その課題は、流路の接続を容易に、かつ、確実に行えると共に、患者が菌に感染することがない、しかも、患者の行動を阻害しないコネクタ組立体およびオス型コネクタを提供することにある。
【課題を解決するための手段】
【００１１】
前記課題を解決するために、本発明に係るコネクタ組立体は、互いに接続するオス型コネクタとメス型コネクタとを備えるコネクタ組立体であって、前記オス型コネクタは、筒状の外壁部、前記外壁部の基端に形成された底部、および、前記底部から前記外壁部の内部に突出した筒状の内壁部を有し、前記外壁部の内周面の先端側には前記メス型コネクタと係合するオス側接続部が形成された外筒部と、前記外壁部の先端側に弁体表面が露出するように配置され、スリットが形成されたオス側弁体部と、前記外筒部に対して相対移動可能に設けられ、前記オス側弁体部を保持する筒状体からなり、その内部に前記内壁部が挿通された弁体保持部と、前記外筒部に対して相対移動可能に設けられ、前記内壁部の内部に配置された筒状体からなり、その外周面が前記内壁部の内周面と当接すると共に、その内部に液体の流路が形成された内筒部と、を備えており、前記メス型コネクタは、内部に液体の流路が形成された筒状体からなり、その外周面の基端側に前記オス型コネクタの前記オス側接続部と係合するメス側接続部が形成されたコネクタ本体部と、前記コネクタ本体部の基端側に弁体表面が露出するように配置され、スリットが形成されたメス側弁体部と、を備えており、前記メス型コネクタと前記オス型コネクタを接続する際には、前記メス側弁体部に前記オス側弁体部を当接し、その状態から、前記外筒部を前記オス側接続部が前記メス側接続部に係合される位置まで、前記コネクタ本体部の外周面に沿って先端側に移動することによって、前記オス側接続部と前記メス側接続部との係合により前記メス型コネクタに前記オス型コネクタが固定され、同時に、前記内壁部が前記オス側弁体部および前記メス側弁体部の前記スリットを開口させる構成となっており、前記メス型コネクタから前記オス型コネクタを取り外す際には、前記外筒部を前記コネクタ本体部の外周面に沿って基端側に移動することによって、前記オス側接続部と前記メス側接続部との係合が解除され、前記メス型コネクタから前記オス型コネクタが取り外される構成となっていることを特徴とする。
【００１２】
本発明に係るコネクタ組立体は、前記外筒部の前記内壁部が、その先端側に先細りする傾斜面を有してもよい。また、前記内壁部が、前記傾斜面に開口し、前記内筒部に形成された前記流路と連通する開口部を有してもよい。【００１３】
本発明に係るコネクタ組立体は、前記メス側弁体部が、前記弁体表面を形成する板状の弁本体部と、前記弁本体部の周縁から延出して前記コネクタ本体部と嵌合するリブと、を備えてもよい。また、前記メス側弁体部が、前記弁体表面を形成する頭部と、前記頭部に連続して筒状に形成され、長さ方向に弾性変形する蛇腹状の胴部と、を備え、前記内壁部の押圧によって、前記胴部が長さ方向に収縮し、前記頭部に形成されたスリットが開口する構成としてもよい。【００１４】
前記構成によれば、コネクタ同士の接続および固定と、流路の接続が、外筒部の移動という一動作および同じ部品で行うことができる。つまり、メス型コネクタにオス型コネクタを接続する際には、メス側弁体部にオス側弁体部を当接し、その状態から、外筒部をオス側接続部がメス側接続部に係合される位置まで、コネクタ本体部の外周面に沿って先端側に移動することによって、オス側接続部とメス側接続部との係合によりメス型コネクタにオス型コネクタが固定され、同時に、外筒部の内壁部がオス側弁体部およびメス側弁体部のスリットを開口させる。したがって、コネクタ同士の接続作業が容易になり、コネクタ同士の固定不良、弁体部の開口不良の発生を防止できる。これにより、コネクタ内部の流路の汚染、その汚染による菌の繁殖が防止されると共に、流路の接続も確実なものとなる。
【００１５】
また、両コネクタが弁体部を備えることによって、流路の閉鎖状態を維持することができ、流路の汚染、その汚染による菌の繁殖を防止できる。そして、弁体表面が露出した弁体部を備えることによって、弁体表面を消毒することが可能なため、弁体部同士の当接の際の流路の汚染、その汚染による菌の繁殖をさらに防止できる。【００１６】
さらに、メス型コネクタからオス型コネクタを取り外すことが可能なため、オス型コネクタに接続される採尿バッグ等を、メス型コネクタに接続される尿道カテーテル等から分離して病室等に置くことが可能となる。これにより、患者の移動、入浴またはリハビリ等の行動が自由となる。そして、患者の移動等による採尿バッグ等からの逆流（尿漏れ）等も防止できるため、流路の汚染、その汚染による菌の繁殖をさらに防止できる。【００１７】
本発明に係るオス型コネクタの構成は、前記したコネクタ組立体のオス型コネクタの構成と同一である。そして、オス型コネクタの作用も、前記したコネクタ組立体の作用と同一である。
【発明の効果】
【００１８】
本発明によれば、流路の接続を容易に、かつ、確実に行えると共に、患者が菌に感染することがない、しかも、患者の行動を阻害しないコネクタ組立体およびオス型コネクタを提供できる。
【図面の簡単な説明】
【００１９】
【図１】コネクタ組立体の実施形態の構成を示す斜視図である。
【図２】図１の横断面図である。
【図３】コネクタの接続の際の動作の一段階を示す横断面図である。
【図４】コネクタの接続の際の動作の一段階を示す横断面図である。
【図５】コネクタの接続の際の動作の一段階を示す横断面図である。
【図６】オス型コネクタの別の実施形態の構成を示す斜視図である。
【図７】コネクタ組立体の別の実施形態の構成を示し、（ａ）は接続前の横断面図、（ｂ）は接続後の一部を省略した横断面図である。
【発明を実施するための形態】
【００２０】
本発明に係るコネクタ組立体の実施形態について、図面を参照して説明する。
図１、図２に示すように、コネクタ組立体１は、互いに接続するオス型コネクタ２Ａとメス型コネクタ２４Ａとを備える。なお、本発明において、基端側とは採尿バッグの採尿チューブ等と接続されるバッグ側を意味し、先端側とは患者に留置される尿道カテーテル等と接続されるカテーテル側を意味する。また、以下ではオス型コネクタ２Ａとメス型コネクタ２４Ａの両者を意味する場合には、単にコネクタと称す。
【００２１】
オス型コネクタ２Ａは、外筒部３と、オス側弁体部１１と、弁体保持部１５と、内筒部１９と、を備えている。また、オス型コネクタ２Ａは、連結部３５を備えている。しかし、連結部３５は必須の構成ではない。
【００２２】
外筒部３、弁体保持部１５および内筒部１９を構成する材料は、ある程度の柔軟性、耐久性等を有するもので、例えば、ポリカーボネイト、ポリアセタール、ポリプロピレン、ポリアクリルアミド、ポリエチレンテレフタレート等の合成樹脂であればよいが、それらに限定されない。
【００２３】
オス側弁体部１１を構成する材料は、コネクタの接続または取り外しの際に液体の漏れが発生しない閉塞性に優れた弾性材料であって、例えば、天然ゴム、イソプレンゴム、ブタジエンゴム等の各種ゴム材料、スチレン系、ポリオレフィン系、ポリ塩化ビニル系等の各種エラストマーであればよいが、それらに限定されない。
【００２４】
外筒部３は、筒状の外壁部４、外壁部４の基端側に連続して、すなわち、基端に形成された底部５、および、底部５から外壁部４の内部に突出した筒状の内壁部７を有する。そして、外壁部４には、その内周面の先端側にオス側接続部１０が形成され、底部５には、弁体保持部１５の連結棒１８が挿通される開口部６が弧状に形成されている。また、コネクタの接続の際に、内壁部７は、外筒部３の移動に伴って、メス型コネクタ２４Ａのコネクタ本体部２５の内部に突出して、オス側弁体部１１およびメス側弁体部２８を開放状態にするものである。したがって、内壁部７は、その先端部がオス側弁体部１１の基端側の表面に近接する位置、すなわち、外壁部４の先端側の開口面に近接する位置まで突出していることが好ましい。なお、外壁部４、底部５および内壁部７の縦断面形状は、円形状が好ましいが、これに限定されない。
【００２５】
オス側接続部１０は、メス型コネクタ２４Ａのコネクタ本体部２５に形成されたメス側接続部２７と係合するもので、例えば、凹状の溝部または凸状のタブである。そして、凹状の溝部である場合には、コネクタの接続または取り外しの際の外筒部３（外壁部４）の回転移動をガイドするために、外壁部４の内周面の先端側から基端側に向って溝幅を広くすることが好ましいが、一定の溝幅でもよい。
【００２６】
オス側弁体部１１は、外壁部４の先端側に、内壁部７によって開閉されるスリット１２が形成された弁体表面１３ａが露出するように配置されたものである。そして、このような配置は、外壁部４の内部に配置された弁体保持部１５の先端側にオス側弁体部１１を保持することによって達成される。なお、弁体表面１３ａが先端側に露出することによって、コネクタの接続または取り外しの際に、弁体表面１３ａを消毒することが可能となり、内筒部１９に形成された液体の流路２２が汚染されることを防止できる。
【００２７】
また、オス側弁体部１１は、その大きさをメス型コネクタ２４Ａのメス側弁体部２８と異なるものに設定することによって、流路２２の汚染をさらに防止することができる。そして、スリット１２の形成方向は、メス側弁体部２８に形成されたスリット２９と異なる方向であることが好ましい。このような方向に形成することによって、内壁部７によるスリット２９の開口部からの液漏れをさらに防止できる。しかしながら、スリット１２の形成方向は、スリット２９と同一方向であってもよい。
【００２８】
また、オス側弁体部１１は、スリット１２が形成された弁体表面１３ａとなる板状の弁本体部１３と、弁本体部１３の周縁部から延出するリブ１４と、を備える。そして、リブ１４によって、弁体保持部１５に嵌合により保持される。なお、オス側弁体部１１は、弁体保持部１５に保持され、かつ、内壁部７によって開閉可能であれば、前記構成に限定されない。
【００２９】
弁体保持部１５は、オス側弁体部１１を保持する筒状体からなり、その内部に外筒部３の内壁部７が挿通される。そして、弁体保持部１５は、オス側弁体部１１を先端側に保持することによって、内壁部７を液密に保持している。なお、弁体保持部１５の基端側にＯリング等のシール材２３を配置することによって、内壁部７がさらに液密に保持される。
【００３０】
また、弁体保持部１５は、筒状体からなる保持本体部１６と、保持本体部１６の基端に形成された底部１７と、底部１７から基端側に延出する連結棒１８と、を備える。そして、連結棒１８は、内壁部７の内部に配置される内筒部１９の基端側に接続された連結部３５に接続される。なお、弁体保持部１５は、オス側弁体部１１を保持し、内壁部７が挿通される構成であれば、前記構成に限定されない。また、保持本体部１６の縦断面形状は、円形状が好ましいが、これに限定されない。
【００３１】
内筒部１９は、内壁部７の内部に配置された筒状体からなり、その外周面が内壁部７の内周面と当接すると共に、その内部に液体の流路２２が形成される。そして、流路２２は、流路径が６ｍｍ以上の直管流路であって、その内部に突起等が形成されず、流路径が均一であることが好ましい。これによって、流路２２での液体中の老廃物等の詰まり、液体の滞留および乱流の発生を防止することができ、流路２２での菌の繁殖を防止できる。
【００３２】
また、内筒部１９は、筒状体からなる筒本体部２０と、筒本体部２０の先端側の外周面に形成された溝部２１と、溝部２１に配置されたＯリング等のシール材２３と、を備える。シール材２３を備えることによって、筒本体部２０が内壁部７の内部に液密に保持される。なお、内筒部１９は、内壁部７の内部に配置され、流路２２が形成される構成であれば、前記構成に限定されない。そして、筒本体部２０の縦断面形状は、円形状が好ましいが、これに限定されない。
【００３３】
連結部３５は、内筒部１９の基端側に配置され、弁体保持部１５と内筒部１９とを連結するもので、その構成は特に限定されない。そして、連結部３５を介して弁体保持部１５と内筒部１９が連結されることにより、コネクタの接続または取り外しの際の外筒部３の移動がスムーズとなる。
【００３４】
メス型コネクタ２４Ａは、コネクタ本体部２５と、メス側弁体部２８と、を備える。
なお、コネクタ本体部２５を構成する材料は、オス型コネクタ２Ａの外筒部３等で記載した材料で構成されていればよく、特に限定されない。また、メス側弁体部２８を構成する材料も、オス型コネクタ２Ａのオス側弁体部１１で記載した材料で構成されていればよく、特に限定されない。
【００３５】
コネクタ本体部２５は、内部に液体の流路２６が形成される筒状体からなり、その外周面の基端側にオス型コネクタ２Ａのオス側接続部１０と係合するメス側接続部２７が形成されている。そして、メス側接続部２７は、例えば、凸状のタブまたは凹状のねじ溝である。また、コネクタ本体部２５の縦断面形状は、円形状が好ましいが、これに限定されない。
【００３６】
メス側弁体部２８は、コネクタ本体部２５の基端側にスリット２９が形成された弁体表面３０ａが露出するように配置されたものである。そして、弁体表面３０ａが基端側に露出することによって、コネクタの接続または取り外しの際に、弁体表面３０ａを消毒することが可能となり、コネクタ本体部２５に形成された液体の流路２６が汚染されることを防止できる。また、スリット２９の形成方向は、オス型コネクタ２Ａの内壁部７によるスリット２９の開口部からの液漏れをさらに防止することから、オス側弁体部１１に形成されたスリット１２と異なる方向であることが好ましいが、同一方向であってもよい。
【００３７】
また、メス側弁体部２８は、スリット２９が形成された弁体表面３０ａとなる板状の弁本体部３０と、弁本体部３０の周縁部から延出するリブ３１と、を備える。そして、リブ３１によって、コネクタ本体部２５に嵌合により保持される。なお、メス側弁体部２８は、コネクタ本体部２５に保持され、かつ、オス型コネクタ２Ａの内壁部７によって開閉可能であれば、前記構成に限定されない。
【００３８】
次に、コネクタ組立体１におけるコネクタの接続または取り外しの際の動作について、図３〜図５を用いて説明する。
【００３９】
メス型コネクタ２４Ａにオス型コネクタ２Ａを接続する動作は、以下の手順で行われる。
（１）図３に示すように、メス型コネクタ２４Ａにオス型コネクタ２Ａを近付け、コネクタ本体部２５に形成されたメス側接続部２７と、外筒部３（外壁部４）に形成されたオス側接続部１０とが合う位置で、メス側弁体部２８にオス側弁体部１１を当接する。このとき、当接する前に、メス側弁体部２８の弁体表面３０ａ、および、オス側弁体部１１の弁体表面１３ａをアルコール拭き等で消毒することによって、流路２６、２２の汚染を防止できる。
【００４０】
（２）（１）の状態から、図４に示すように、外壁部４をコネクタ本体部２５の外周面に沿って先端側に回転移動させる。これによって、メス側接続部２７がオス側接続部１０内を移動すると共に、内壁部７がコネクタ本体部２５の内部に突出して、オス側弁体部１１のスリット１２が開口し、メス側弁体部２８のスリット２９も開口し、流路２６と流路２２とが部分的に連通する。このとき、オス側弁体部１１の外径よりも、メス側弁体部２８の外径を大きく設定すると、両弁体部の当接面からの液漏れをさらに防止でき、コネクタからの液漏れを防止できて好ましい。
【００４１】
（３）（２）の状態から、図５に示すように、メス側接続部２７がオス側接続部１０に係合する位置まで、外壁部４を先端側にさらに回転移動させて、外壁部４をコネクタ本体部２５に係合させて、オス型コネクタ２Ａをメス型コネクタ２４Ａに接続、固定する。その結果、流路２６と流路２２とが完全に連通して接続される。このとき、内壁部７の外周面と、コネクタ本体部２５の内周面との間にオス側弁体部１１とメス側弁体部２８の両者が重なった状態で配置され、内壁部７とコネクタ本体部２５とが液密に閉塞されることとなるため、コネクタからの液漏れを防止できる。
【００４２】
メス型コネクタ２４Ａからオス型コネクタ２Ａを取り外す動作は、前記手順を（３）、（２）、（１）の順に移動方向を逆にして行う、すなわち、外筒部３（外壁部４）をコネクタ本体部２５の外周面に沿って基端側に回転移動することによって、メス側接続部２７とオス側接続部１０との係合を解除し、外壁部４とコネクタ本体部２５との係合を解除する。その結果、メス型コネクタ２４Ａからオス型コネクタ２Ａが取り外される。そして、弁体部（メス側弁体部２８、オス側弁体部１１）の再閉塞性によって、流路２６、２２が閉塞される。
【００４３】
なお、前記（２）、（３）において、外筒部３（外壁部４）を回転によって移動したが、移動は回転移動に限定されず、メス側接続部２７およびオス側接続部１０の形態によっては平行移動であってもよい。
【００４４】
次に、コネクタ組立体の別の実施形態について説明する。
コネクタ組立体において、コネクタ組立体を構成するオス型コネクタとして、図６に示すようなオス型コネクタ２Ｂを用いてもよい。
【００４５】
オス型コネクタ２Ｂは、外筒部３と、オス側弁体部１１と、弁体保持部１５と、内筒部１９とを備える点では前記オス型コネクタ２Ａ（図１参照）と同一であるが、外筒部３の内壁部７が、その先端側に先細りする傾斜面９を有する点で異なる。内壁部７が先端側に傾斜面９を有することによって、コネクタの接続の際に、弁体部（オス側弁体部１１、メス側弁体部２８）を開口しやすくなる。傾斜面９の傾斜角度については、特に限定されない。
【００４６】
また、内壁部７は、傾斜面９に開口し、内筒部１９に形成された流路２２と連通する開口部８を有してもよい。開口部８の数および開口面積については、特に限定されない。
【００４７】
コネクタ組立体において、コネクタ組立体を構成するメス型コネクタとして、図７（ａ）、（ｂ）に示すようなメス型コネクタ２４Ｂを用いてもよい。
メス型コネクタ２４Ｂは、コネクタ本体部２５と、メス側弁体部２８とを備える点で前記メス型コネクタ２４Ａ（図１参照）と同一であるが、メス側弁体部２８が、頭部３３と胴部３４とを備える点で異なる。
【００４８】
メス側弁体部２８は、スリット３２が形成された弁体表面３３ａを形成する頭部３３と、頭部３３に連続して筒状に形成され、長さ方向に弾性変形する蛇腹状の胴部３４と、を備える。そして、メス型コネクタ２４Ｂは、オス型コネクタ２Ａの内壁部７のコネクタ本体部２５の内部への突出による押圧によって、メス側弁体部２８の胴部３４が長さ方向に収縮し、頭部３３に形成されたスリット３２が開口する。これによって、メス型コネクタ２４Ｂの流路２６と、オス型コネクタ２Ａの流路２２が接続される。
【００４９】
本発明に係るコネクタ組立体は、図示しないが、オス型コネクタ２Ｂと、メス型コネクタ２４Ｂと、を備えてもよい。
【００５０】
なお、本発明に係るオス型コネクタについては、前記したコネクタ組立体を構成するオス型コネクタと同一であるので、説明を省略する。
また、前記では、基端側をバッグ側、先端側をカテーテル側としたが、基端側がカテーテル側、先端側がバッグ側であってもよい。
【符号の説明】
【００５１】
１      コネクタ組立体
２Ａ、２Ｂ  オス型コネクタ
３      外筒部
１１    オス側弁体部
１５    弁体保持部
１９    内筒部
２４Ａ、２４Ｂ  メス型コネクタ
２５    コネクタ本体部
２８    メス側弁体部
【図１】
0005930481.tif 000002
【図２】
0005930481.tif 000003
【図３】
0005930481.tif 000004
【図４】
0005930481.tif 000005
【図５】
0005930481.tif 000006
【図６】
0005930481.tif 000007
【図７】
0005930481.tif 000008